(57)【要約】【課題】ドレン配管の施工性を向上したドレンホース接続用アダプタ及び空気調和システムを提供すること、並びに簡易方式のドレン配管のメンテナンス方法を提供すること。【解決手段】管継手の受口６Ａａに挿入して接着される接続部１１、及び接続部１１の一端に隣接して形成されたユニオンねじ部１２を有する本体部材１０と、接続すべき軟質性ドレンホース４内に差し込まれるタケノコ接手部２２を有するホース口２０と、本体部材１０とホース口２０との間をシールするシール部材と、本体部材１０に対しシール部材を介しホース口２０を圧接して結合するための、ユニオンねじ部１２に螺合されるユニオンナット３０とを備える。そして、本体部材１０とホース口２０とは、ユニオンナット３０がユニオンねじ部１２に螺合されて連結された状態において、タケノコ接手部２２を除く外周部分に断熱用空気層１１ａ、１３ａ、２１Ｃａが形成されるように構成されている。【選択図】  図３
2019044841.tif 000002
【特許請求の範囲】
【請求項１】
管継手の受口に挿入して接着される接続部（１１）及び前記接続部（１１）の一端に隣接して形成されたユニオンねじ部（１２）を有する本体部材（１０）と、接続すべき軟質性ドレンホース（４）内に差し込まれるタケノコ接手部（２２）を有するホース口（２０）と、前記本体部材（１０）と前記ホース口（２０）との間をシールするシール部材と、前記本体部材（１０）に対し前記シール部材を介し前記ホース口（２０）を圧接して結合するための、前記ユニオンねじ部（１２）に螺合されるユニオンナット（３０）とを備え、
前記本体部材（１０）と前記ホース口（２０）とは、前記ユニオンナット（３０）が前記ユニオンねじ部（１２）に螺合されて連結された状態において、前記タケノコ接手部（２２）以外の外周部分に断熱用空気層（１１ａ、１３ａ、２１Ｃａ）が形成されるように構成されている
ドレンホース接続用アダプタ。
【請求項２】
前記ホース口（２０）は、前記タケノコ接手部（２２）の前記本体部材（１０）側に基部（２１）が形成されたものであって、
前記本体部材（１０）は、前記ユニオンねじ部（１２）の内周側に形成された、前記基部（２１）の一部を受け入れる受入部（１３）と、前記受入部（１３）の底部に形成された前記ホース口（２０）を支持する支持面（１４）とを有し、
前記ホース口（２０）における前記基部（２１）は、前記支持面（１４）に対し前記シール部材を介し突き合わされる接合フランジ部（２１Ａａ）を端部に形成し、前記受入部（１３）に挿入される挿入部（２１Ａ）と、前記挿入部（２１Ａ）のタケノコ接手部（２２）側に隣接して形成された、前記ユニオンナット（３０）の袋状の蓋部に係合されるユニオンフランジ部（２１Ｂ）と、前記ユニオンフランジ部（２１Ｂ）と前記タケノコ接手部（２２）とを繋ぐ繋ぎ部（２１Ｃ）とを有し、
前記接続部（１１）及び前記繋ぎ部（２１Ｃ）は、それぞれ環状の断熱用空気層（１１ａ、２１Ｃａ）を有する二重壁の外周壁に形成され、
前記受入部（１３）と前記挿入部（２１Ａ）とは、前記ユニオンナット（３０）の締結により前記本体部材（１０）と前記ホース口（２０）とが連結された状態において、前記受入部（１３）の内周面と前記挿入部（２１Ａ）の外周面との間に環状の断熱用空気層（１３ａ）が形成される
請求項１記載のドレンホース接続用アダプタ。
【請求項３】
前記シール部材は、Ｏリング（４０）である
請求項２記載のドレンホース接続用アダプタ。
【請求項４】
前記本体部材（１０）は、前記接続部（１１）と前記ユニオンねじ部（１２）との間に仕切りフランジ部（１５）が形成されてなる
請求項２又は請求項３に記載のドレンホース接続用アダプタ。
【請求項５】
空気調和機の室内機（１）のドレン配管の先端に接続されたドレンポンプキット（３）と、
前記ドレンポンプキット（３）のドレン収容部に収容されたドレンをドレンポンプにより排出するための軟質性ドレンホース（４）と、
前記軟質性ドレンホース（４）を接続するための管継手としてのエルボ（６）とを有するドレン配管を備えた空気調和システムであって、
前記エルボ（６）は、一方の受口（６Ａａ）が上方向に向かって開口するように配置され、
前記軟質性ドレンホース（４）は、先端部が下方向に曲げられて前記受口（６Ａａ）に向うように、前記ドレンポンプキット（３）から逆Ｕ字状に導出され、
前記軟質性ドレンホース（４）と前記エルボ（６）の受口（６Ａａ）とは、請求項１〜４の何れか１項に記載のドレンホース接続用アダプタを介し着脱自在に接続されている
空気調和システム。
【請求項６】
前記ユニオンナット（３０）を緩めて前記軟質性ドレンホース（４）を前記エルボ（６）から切り離し、
前記軟質性ドレンホース（４）が切り離された前記エルボ（６）の受口（６Ａａ）を、ドレン配管の清掃を行うメンテナンス用開口部として利用し、
メンテナンス終了後には、前記ユニオンねじ部（１２）に対し前記ユニオンナット（３０）を螺合することにより、前記軟質性ドレンホース（４）を前記エルボ（６）に再び接続する
請求項５に記載されている空気調和システムにおけるドレン配管のメンテナンス方法。
【発明の詳細な説明】
【技術分野】
【０００１】
本発明は、ドレンホース接続用アダプタ、これをドレン配管に用いた空気調和システム、並びに、この空気調和システムにおけるドレン配管のメンテナンス方法に関する。
【背景技術】
【０００２】
一般に、空気調和システムを形成する空気調和機の室内機は、天井埋込式あるいは天井吊り下げ式の場合、トレンパン内に溜まったドレンは、ドレンポンプにより一旦ポンプアップされ、その後天井裏に敷設された下り勾配のドレン配管を使って自然流出方式により屋外へ排出されている。
【０００３】
ところが、室内機の設置場所によっては、ドレンポンプによりポンプアップしたドレンを自然流出方式により排出することが困難な場合が生ずる。例えば、天井裏には種々の構造物が存在している。このため、ドレン配管は、これら構造物の上方あるいは下方に迂回させて敷設する必要があり、ドレンパンに付設されたドレンポンプの揚程だけでは揚程不足となる場合がある。また、自然流出方式を採用しようとしても、室内機の設置場所が、建造物の外壁から離れた場所にあると、自然流出方式を採用できない場合もある。
【０００４】
このような場合図９に示すように、室内機１０１からのドレン排出用の配管１０２の先端にドレンポンプキット１０３が接続される。ドレンポンプキット１０３は、室内機１０１において生じたドレンを収容することのできる所定容積のドレン収容部と、ドレン収容部に収容されたドレンを排出するドレンポンプとを具備して（図示せず）構成されている。また、ドレンポンプキット１０３は、ドレンポンプによりドレンを排出するための断熱機能を有する軟質性ドレンホース１０４を逆Ｕ字状に導出している。そして、導出された軟質性ドレンホース１０４の先端部は、チーズ継手１０５における上方向に向かって開口する受口に接続されている。なお、図９において符号Ｆは、天井である。
【０００５】
軟質性ドレンホース１０４とチーズ継手１０５の受口との接続に際しては、断熱機能を備えたチーズ継手１０５の受口に対し硬質性の短い配管１０６が接着剤により接続され、この短い配管１０６の先端にアダプタ１０７が取り付けられる。アダプタ１０７は、一方にタケノコ接手部を有し、このタケノコ接手部が軟質性ドレンホース１０４の先端部が差し込まれ、これにより軟質性ドレンホース１０４がアダプタ１０７に接続されている。また、アダプタ１０７は、タケノコ接手部の反対側がソケット部に形成されている。このソケット部は、短い配管１０６の一端の外側に被せられ、接着剤によりソケット部が短い配管１０６に接着連結されている。なお、タケノコ接手部を軟質性ドレンホース１０４内に差し込む場合は、タケノコ接手部を差し込む軟質性ドレンホース１０４の先端部分の断熱材が除去され、タケノコ接手部が差し込まれた後に外側がクランプ金具で締め付けられて固定されている。このようにして、軟質性ドレンホース１０４とチーズ継手１０５とが短い配管１０６とアダプタ１０７とを介して接続された後、短い配管１０６を含めアダプタ１０７周りの外周全体に対し断熱材が巻き付けられていた。
【０００６】
なお、従来の空気調和システムのドレン配管においては、チーズ継手１０５の一方の水平方向の受口に対し、硬質性の短い配管１０８が接続され、この配管１０８の先端にドレン配管の清掃等のメンテナンス用開口部１０９が設けられていた。メンテナンス用開口部１０９は、配管１０８の先端に接続される４５°エルボと、この４５°エルボの他方の受口に着脱可能に設けられたキャップ部材１１０とを備えたものである。すなわち、メンテナンス用開口部１０９は、通常時はキャップ部材１１０が装着されており、メンテナンス時にキャップ部材１１０を取り外すことにより、清掃等を行えるように構成されたものである。
【０００７】
以上説明したドレンポンプキットを利用したドレン配管の例としては特許文献１及び非特許文献１がある。また、メンテナンス用開口部を用いたドレン配管の例としては特許文献２がある。
【先行技術文献】
【特許文献】
【０００８】
【特許文献１】特開２００３−９７４５０号公報、図７
【特許文献２】特許第５２８６０７１号公報
【非特許文献】
【０００９】
【非特許文献１】刊行物名；「ドレンアップキット、ドレンポンプキット取付・配線要領書」、発行所；オーケー器材株式会社、発行年月日；２０１５年１２月４日、関連箇所；７４ページ
【発明の概要】
【発明が解決しようとする課題】
【００１０】
しかしながら、上記従来の空気調和システムのドレン配管においては、ドレンポンプキットを接続する場合、暗くて狭い空間である天井裏において硬質性の短い配管１０６及びアダプタ１０７の外周全体に断熱材を巻き付けなければならかった。また、従来のアダプタ１０７は、チーズ継手１０５に硬質性の短い配管１０６を接続するとともに、短い配管１０６の外周に断熱材を巻き付けなければならかった。このように、従来のアダプタ１０７を用いた空気調和システムのドレン配管においては、構成が煩雑になり、作業工数も多くなるという問題があった。
【００１１】
本発明は、かかる従来技術における問題点に鑑みなされたものであり、ドレン配管の施工性を向上したドレンホース接続用アダプタ及び空気調和システムを提供すること、並びに簡易方式のドレン配管のメンテナンス方法を提供することを目的とする。
【課題を解決するための手段】
【００１２】
〔１〕上記課題を解決するドレンホース接続用アダプタは、管継手の受口に挿入して接着される接続部及び前記接続部の一端に隣接して形成されたユニオンねじ部を有する本体部材と、接続すべき軟質性ドレンホース内に差し込まれるタケノコ接手部を有するホース口と、前記本体部材と前記ホース口の間をシールするシール部材と、前記本体部材に対し前記シール部材を介し前記ホース口を圧接して結合するための、前記ユニオンねじ部に螺合されるユニオンナットとを備え、前記本体部材と前記ホース口とは、前記ユニオンナットが前記ユニオンねじ部に螺合されて連結された状態において、前記タケノコ接手部以外の外周部分に断熱用空気層が形成されるように構成されている。
【００１３】
このような構成のドレンホース接続用アダプタによれば、タケノコ接手部以外の外周側に断熱材を巻き付ける必要がなく、また、アダプタと管継手との間に短い配管を接続する必要もなく、ドレン配管を簡略化することができる。
【００１４】
〔２〕また、前記ホース口は、前記タケノコ接手部の前記本体部材側に基部が形成されたものであって、前記本体部材は、前記ユニオンねじ部の内周側に形成された、前記基部の一部を受け入れる受入部と、前記受入部の底部に形成された前記ホース口を支持する支持面とを有し、前記ホース口における前記基部は、前記支持面に対し前記シール部材を介し突き合わされる接合フランジ部を端部に形成し、前記受入部に挿入される挿入部と、前記挿入部の前記タケノコ接手部側に隣接して形成された、前記ユニオンナットの袋状の蓋部に係合されるユニオンフランジ部と、前記ユニオンフランジ部と前記タケノコ接手部とを繋ぐ繋ぎ部とを有し、前記接続部と前記繋ぎ部とは、それぞれ環状の断熱用空気層を有する二重壁の外周壁に形成され、前記受入部と前記挿入部とは、前記ユニオンナットの締結により前記本体部材と前記ホース口とが連結された状態において、前記受入部の内周面と前記挿入部の外周面との間に環状の断熱用空気層が形成されるようにしてもよい。
【００１５】
このような構成にすれば、断熱機能を有する軟質性ドレンホースが上から下方向に向かって管継手の受口に接続される通常の接続状態に鑑み、本体部材の接続部及びホース口の繋ぎ部の断熱用空気層を下方向に開放する状態に形成することが可能となり、本体部材及びホース口を製作容易な構成とすることができる。また、ユニオンナットの締結により本体部材とホース口とが連結された状態において、受入部の内周面と挿入部の外周面との間に環状の断熱用空気層が形成されるので、ホース口の挿入部の外周壁内に断熱用空気層を形成する必要がなく、ホース口の構造が簡略化される。
【００１６】
〔３〕また、前記シール部材は、Ｏリングとしてもよい。
このような構成にすれば、支持面と接合フランジ部とをＯリングを介して対峙させる構造とすればよく、簡単な構成とすることができる。
【００１７】
〔４〕また、前記本体部材は、前記接続部と前記ユニオンねじ部との間に仕切りフランジ部が形成されてなることが好ましい。
このような構成によれば、接続部を受口に接着する際に受口から食み出る接着剤が上方に拡がることを、仕切りフランジ部により阻止することができる。
【００１８】
〔５〕また、本空気調和システムは、空気調和機の室内機のドレン配管の先端に接続されたドレンポンプキットと、前記ドレンポンプキットのドレン収容部に収容されたドレンをドレンポンプにより排出するための軟質性ドレンホースと、前記軟質性ドレンホースを接続するための管継手としてのエルボとを有するドレン配管を備えた空気調和システムであって、前記エルボは、一方の受口が上方向に向かって開口するように配置され、前記軟質性ドレンホースは、先端部が下方向に曲げられて前記受口に向うように、前記ドレンポンプキットから逆Ｕ字状に導出され、前記軟質性ドレンホースと前記エルボの受口とは、前記何れかのドレンホース接続用アダプタを介し着脱自在に接続されているものである。
【００１９】
このような構成によれば、ドレンポンプキットからドレンを排出する軟質性ドレンホースは従来と同様に逆Ｕ字状に配置し、この軟質性ドレンホースを、前記アダプタを介し直接エルボに接続すればよい。また、ドレンホース接続用アダプタはユニオンナットを緩めることにより本体部材とホース口とが分離されるので、ホース口を外した本体部材の開口部を従来のメンテナンス口に代わる口として利用することができる。したがって、従来のごとく軟質性ドレンホースと管継手との間に短い配管を介在させる必要がなく、また、メンテナンス口を別途設ける必要もなく、また、ドレンホース接続用アダプタのタケノコ接手部以外の外周部には断熱材を巻き付ける必要もなく、作業が簡略化される。
【００２０】
〔６〕また、本空気調和システムにおけるドレン配管のメンテナンス方法は、前記ユニオンナットを緩めて前記軟質性ドレンホースを前記エルボから切り離し、前記軟質性ドレンホースが切り離された前記エルボの受口を、ドレン配管の清掃を行うメンテナンス用開口部として利用し、メンテナンス終了後には、前記ユニオンねじ部に対し再び前記ユニオンナットを螺合することにより、前記軟質性ドレンホースを前記エルボに再び接続するものである。
【００２１】
このような構成によれば、ドレン配管にメンテナンス口が別途設けていない空気調和システムであっても、容易にメンテナンスを行うことができる。
【発明の効果】
【００２２】
本ドレンホース接続用アダプタ及びこれを用いた空気調和システムによれば、ドレン配管の施工性が向上される。また、本ドレン配管のメンテナンス方法によれば、ドレン配管にメンテナンス用開口部を設けなくても、ドレン配管のメンテナンスを容易に行うことができる。
【図面の簡単な説明】
【００２３】
【図１】本発明の実施の形態に係る空気調和システムにおけるドレン配管の概略構成図。
【図２】同ドレン配管におけるドレンホース接続用アダプタ周りの斜視図。
【図３】同ドレン配管におけるドレンホース接続用アダプタ周りの縦断面図。
【図４】同ドレンホース接続用アダプタが接続される管継手としてのエルボの縦断面図。
【図５】同エルボの分解斜視図。
【図６】同ドレン配管に使用されているドレンホース接続用アダプタの縦断面図。
【図７】同ドレンホース接続用アダプタの分解斜視図。
【図８】同ドレンホース接続用アダプタの構成部品の断面図であって、（Ａ）はユニオンナットの縦断面図、（Ｂ）はホース口の縦断面図、（Ｃ）は本体部材の縦断面図。
【図９】従来の空気調和システムにおけるドレン配管の概略構成図。
【発明を実施するための形態】
【００２４】
先ず、本発明の実施の形態に係る空気調和システムについて、特にそのドレン配管について説明する。なお、本発明は、以下に記載する例示に限定されるものではなく、特許請求の範囲によって示され、特許請求の範囲と均等の意味および範囲内での全ての変更が含まれることが意図される。
【００２５】
図１に示す空気調和システムは、天井埋め込み型の室内機１を設置するものである。この空気調和システムでは、室内機１に溜まったドレンを、ポンプアップし、硬質性の配管２を介してドレンポンプキット３のドレン収容部（不図示）に排出し、ドレンポンプキット３に収納されているドレンポンプ（不図示）を使ってドレン収容部に溜めたドレンを屋外に排出するようにしている。なお、図１において符号Ｆは、天井である。
【００２６】
ドレンポンプキット３からドレンを屋外に排出するドレン配管は、ドレンポンプキット３から逆Ｕ字状に導出される防熱性の軟質性ドレンホース４と、屋外に向かって敷設された硬質性ドレン配管５とを備えている。硬質性ドレン配管５のドレンポンプキット３側の入口には管継手としてのエルボ６が取り付けられている。
【００２７】
図１に示すように、ドレンポンプキット３から導出されている軟質性ドレンホース４の先端部は、下方に向いており、管継手としての、断熱機能を有するエルボ６に接続されている。図２及び図３に示すように、軟質性ドレンホース４とエルボ６とは、ドレンホース接続用アダプタ７を使って着脱可能に接続されている。
【００２８】
図２及び図３に示すように、軟質性ドレンホース４は、軟質性の内管４ａとその外表面を被覆する断熱機能を有する軟質性被覆層４ｂにより形成された一般的なものである。
同様に、硬質性ドレン配管５は、硬質性のパイプ本体５ａと、このパイプ本体５ａの外表面を被覆する被覆層５ｂとからなる一般的なものである。パイプ本体５ａは硬質のポリ塩化ビニル系樹脂材料により形成され、被覆層５ｂは独立気泡性の塩化ビニル系発泡樹脂材により形成されている。
【００２９】
図４及び図５に示すように、管継手としてのエルボ６は、硬質性ドレン配管５を挿入可能とし、接着剤により接続するように構成された二つの受口６Ａａを備えたものであって、継手本体６Ａと、継手本体６Ａの外側に被せられるカバー部材６Ｂとにより形成されている。
【００３０】
継手本体６Ａは、二つの受口６Ａａ間をＬ字状の胴部６Ａｂにより接続したものである。受口６Ａａの口底部には、胴部６Ａｂ内の連通路に繋がる、硬質性ドレン配管５の内径と同径の孔が開口され、その周りに硬質性ドレン配管５を支持する壁部が形成されている。また、この壁部には、硬質性ドレン配管５を弾性的に支持するとともに、ドレンによるエルボ６の冷却を防止するためのドーナツ状の断熱板材６Ｃが接着されている。胴部６Ａｂの外周壁は、受口６Ａａの外周壁から凹陥状を成すように、受口６Ａａの外径より細く形成されている。
【００３１】
図５に示すように、カバー部材６Ｂは、Ｌ字状を成す管軸を通る断面において、第１カバー６Ｂａと第２カバー６Ｂｂとに２分割され、突合せ面で接着剤により接着されるとともに、受口側端部が受口６Ａａの外周面に接着剤により接着されている。このように構成されることにより、継手本体６Ａの胴部６Ａｂの外周を取り巻くように断熱用空気層６Ｄが形成されている（図４参照）。
【００３２】
図６及び図７に示すように、ドレンホース接続用アダプタ７は、管継手としてのエルボ６の受口６Ａａに接続される本体部材１０と、接続すべき軟質性ドレンホース４の接続部を備えたホース口２０と、ホース口２０を本体部材１０に圧接して結合するためのユニオンナット３０とを備えている。また、ドレンホース接続用アダプタ７は、本体部材１０とホース口２０との間をシールするシール部材としてのＯリング４０を有している。ホース口２０は、本体部材側を基部２１とし、その先端に軟質性ドレンホース４の接続部として、軟質性ドレンホース４の内部に差し込まれるタケノコ接手部２２が形成されたものである。
【００３３】
図７及び図８（Ｃ）に示すように、本体部材１０は、エルボ６の受口６Ａａに挿入して接着される接続部１１と、接続部１１の一端に隣接して形成されたユニオンねじ部１２と、ユニオンねじ部１２の内周側に形成された、基部２１の一部を受け入れる受入部１３と、受入部１３の底部に形成された、ホース口２０を支持する支持面１４とを有している。そして、支持面１４には、Ｏリング４０を装着するためのＯリング溝４１が形成されている。また、本体部材１０は、接続部１１とユニオンねじ部１２との間に仕切りフランジ部１５が形成されている。
【００３４】
図７及び図８（Ｂ）に示すように、ホース口２０における基部２１は、受入部１３に挿入される挿入部２１Ａと、挿入部２１Ａのタケノコ接手部２２側に隣接して形成された、ユニオンナット３０の袋状の蓋部に係合されるユニオンフランジ部２１Ｂと、ユニオンフランジ部２１Ｂとタケノコ接手部２２とを繋ぐ繋ぎ部２１Ｃとを有する。そして、挿入部２１Ａには、支持面１４に対しシール部材としてのＯリング４０を介し突き合わされる接合フランジ部２１Ａａが端部に形成されている。
【００３５】
図７及び図８（Ａ）に示すように、ユニオンナット３０は、外周部に管軸方向に溝を有するローレット３１（図７参照）が形成され、袋状の内部側壁にはユニオンねじ部１２に螺合される雌ねじ部３２が形成されている。また、ユニオンナット３０は、袋状の蓋部にユニオンフランジ部２１Ｂの段状の係合部に係合される段状の係合部３３が形成されている。
【００３６】
図８（Ｃ）に示すように、接続部１１の外周壁には、環状の断熱用空気層１１ａが形成されている。また、図８（Ｂ）に示すように、繋ぎ部２１Ｃの外周壁には、環状の断熱用空気層２１Ｃａが形成されている。
【００３７】
また、図３に示すように、受入部１３と挿入部２１Ａとは、ユニオンナット３０の締結により本体部材１０とホース口２０とが連結された状態において、受入部１３の内周面と挿入部２１Ａの外周面との間に環状の断熱用空気層１３ａが形成される。
【００３８】
(作用）
本実施の形態に係るドレンホース接続用アダプタ７の作用として、このドレンホース接続用アダプタ７を使った、軟質性ドレンホース４とエルボ６との接続手順をのべるとともに、ドレン配管のメンテナンス時の作業方法について述べる。
【００３９】
先ず、使用するドレンホース接続用アダプタ７を、本体部材１０、ホース口２０、ユニオンナット３０、及びシール部材としてのＯリング４０が分解された状態で準備する。次いで、本体部材１０を上方に開口する受口６Ａａに対し取り付ける。この取付は、接続部１１の外周面或いはエルボ６の上方に開口する受口６Ａａの少なくとも何れか一方に接着剤を塗布した状態で接続部１１を挿入する。接続部１１の挿入寸法は、断熱板材６Ｃを図３の状態まで撓ませる寸法とする。
【００４０】
このような状態になったかどうかは、エルボ６の継手本体６Ａ及びカバー部材６Ｂが透明または半透明部材により形成されており、さらに、エルボ６の外周に断熱材が巻き付けられていないので、エルボ６の外側から肉眼で確認にしながら接着作業を行うことができる。そして、この状態になった位置で保持することにより、エルボ６の受口６Ａａに対し本体部材１０を取り付ける。
【００４１】
接続部１１を受口６Ａａに対し接着剤により接合する際に使用される接着剤は、接着作業中に受口６Ａａから漏れる恐れがある。しかし、本体部材１０の接続部１１とユニオンねじ部１２との間に形成されている仕切りフランジ部１５は、このような接着剤の漏れに伴う上方への拡散を防止している。
【００４２】
また、一方で、ドレンポンプキット３から逆Ｕ字状に導出された軟質性ドレンホース４にホース口２０を取り付ける作業を行う。この取付は、軟質性ドレンホース４の先端部の断熱性を有する軟質性被覆層を剥がして、先端部にタケノコ接手部２２を差し込みやすい状態とする。次に、ホース口２０の繋ぎ部２１Ｃにユニオンナット３０を仮差し込みした状態とし、ホース口２０のタケノコ接手部２２を軟質性ドレンホース４の先端部に差し込み、さらに軟質性ドレンホース４の先端部をクランプ金具（図示せず）で締め付ける。そして、クランプ金具を締め付けた状態の先端部に帯状の防熱材を巻き付ける。このようにして軟質性ドレンホース４にホース口２０を取り付ける。
【００４３】
次に、軟質性ドレンホース４の先端に取り付けられたホース口２０と、エルボ６の受口６Ａａに取り付けられた本体部材１０との結合を行う。この結合は、先ず本体部材１０の支持面１４にＯリング４０を装着する。そして、ホース口２０における基部２１の挿入部２１Ａを、本体部材１０の受入部１３内に挿入する。こうした状態でユニオンナット３０を本体部材１０のユニオンねじ部１２に締め付けると、挿入部２１Ａの接合フランジ部２１Ａａが支持面１４に対しＯリング４０を介して圧接された状態となり、本体部材１０に対しホース口２０の接続が行われる。
【００４４】
次に、本実施の形態に係る空気調和機において、ドレンホース接続用アダプタ７を利用してドレン配管の清掃等のメンテナンスを行う作業方法について説明する。
本実施の形態に係る空気調和機において、ドレン配管のメンテナンスを行う場合は、ドレンホース接続用アダプタ７のユニオンナット３０を緩める。こうすると、軟質性ドレンホース４の先端部に取り付けられた状態のホース口２０を、エルボ６の受口６Ａａに取り付けられた状態の本体部材１０から切り離すことができる。したがって、本体部材１０の受入部１３が開放された状態となるので、ホース口２０が受入部１３から取り外された後に生じる本体部材１０の開口部を通じ、従来と同様のドレン配管のメンテナンスを行うことができる。
【００４５】
（実施の形態の効果）
本実施の形態に係るドレンホース接続用アダプタ７及びこれを利用した空気調和システムは、以上のように構成されているので、次のような効果を奏することができる。
【００４６】
（１）管継手として断熱機能を有する管継手（例えばエルボ６）を使用し、この管継手に断熱材を施した軟質性ドレンホース４を接続する場合は、軟質性ドレンホース４の先端部の断熱材を切除した状態の部分をタケノコ接手部２２に被せるように連結し、その外周をクランプ金具で締め付ける。そして、クランプ金具を締め付けた部分にのみ断熱材を巻き付けることにより、ドレンホース接続用アダプタ７全体に断熱機能を持たせたドレン配管を形成することができる。
【００４７】
（２）ドレンホース接続用アダプタ７のユニオンナット３０を緩めることにより、軟質性ドレンホース４、ドレンホース接続用アダプタ７等に何らの損傷を与えることなく、軟質性ドレンホース４の先端部に取り付けられた状態のホース口２０を、エルボ６の受口６Ａａに取り付けられた状態の本体部材１０から切り離すことができる。これにより、本体部材１０の受口をドレン配管のメンテナンス用開口部として利用することができる。したがって、ドレン配管にメンテナンス口を別途設ける必要性がなく、ドレン配管を簡略化することができる。
【００４８】
（３）ドレンホース接続用アダプタ７において、本体部材１０の接続部１１の断熱用空気層１１ａ及びホース口２０の繋ぎ部２１Ｃの断熱用空気層２１Ｃａを下方向に開放する構成とされているので、本体部材１０及びホース口２０の製作が容易となる。
【００４９】
（４）ユニオンナット３０の締結により本体部材１０とホース口２０とが連結された状態において、受入部１３の内周面と挿入部２１Ａの外周面との間に環状の断熱用空気層１３ａが形成されるので、挿入部２１Ａの外周壁内に断熱用空気層を形成する必要がなく、ホース口２０の構造が簡略化される。
【００５０】
（５）本体部材１０の支持面１４とホース口２０の接合フランジ部２１Ａａとのシール接合を、Ｏリング４０を介して対峙させる構造としているので、本体部材１０とホース口２０との結合構造を簡略化にして、かつ的確に行うことができる。
【００５１】
（６）本体部材１０の接続部１１とユニオンねじ部１２との間に仕切りフランジ部１５が形成されているので、接続部１１を受口６Ａａに対し接着するために塗布される接着剤がユニオンねじ部１２側へ食み出て拡がることがないので、ユニオンナット３０の螺合に支障をきたすことがなく、また、見栄えを悪くすることもない。
【００５２】
（７）本実施の形態に係る空気調和システムでは、軟質性ドレンホース４を接続するドレンホース接続用アダプタ７を管継手としてのエルボ６に対し直接接続しているので、ドレンホース接続用アダプタ７と管継手との間に従来のごとく短い硬質性の配管を接続する必要がない。したがって、短い硬質性配管が不要であり、ドレン配管が簡素化され、ドレン配管の施工性が簡略化される。
【００５３】
(変形例）
前記実施の形態に関する説明は、本発明に従う管継手及び空気調和システムが取り得る形態の例示であり、その形態に制限されるものではない。なお、相互に矛盾しない少なくとも二つの変形例を組み合わせた形態としてもよい。
【００５４】
（１）前記実施の形態に係るドレンホース接続用アダプタ７によれば、接続部１１及び繋ぎ部２１Ｃの断熱用空気層１１ａ、２１Ｃａの下方部を開放するように構成されているが、これら断熱用空気層１１ａ、２１Ｃａは、下方部を開放しない中空の断熱用空気層としてもよい。
【００５５】
（２）前記実施の形態に係るドレンホース接続用アダプタ７においては、ユニオンナット３０の締結により本体部材１０とホース口２０との連結状態において、受入部１３の内周面と挿入部２１Ａの外周面との間に環状の断熱用空気層１３ａが形成されていた。しかし、この断熱用空気層１３ａに代えて、ホース口２０の基部２１における挿入部２１Ａの壁に中空の断熱用空気層を設けるようにしてもよい。
【００５６】
（３）前記実施の形態に係る空気調和システムにおいては、断熱機能を備えた管継手としてエルボ６を使用していたが、この管継手に限定されるものではなくチーズ継手、Ｙ字型管継手、異径エルボなど他の型式の断熱機能を備えた管継手に変更することもできる。
【００５７】
（４）前記実施の形態に係るドレンホース接続用アダプタ７においては、本体部材１０の支持面１４とホース口２０の接合フランジ部２１Ａａ間をシールするシール部材としてＯリング４０が用いられていたが、これをパッキン等の他のシール部材に変更してもよい。
【００５８】
（５）前記実施の形態に係る空気調和システムにおいては、メンテナンス用開口部を別途設けていなかったが、それに限られるものではなく、メンテナンス用開口部を別途設けるようにしてもよい。
【００５９】
（６）前記実施の形態に係る空気調和システムにおいて、ドレン配管清掃用のメンテナンス開口部を別途設けるようにしてもよい。この場合のドレン配管の清掃は、別途設けたメンテナンス開口部を利用してもよいし、ドレンホース接続用アダプタ７のユニオンナット３０を取り外し、エルボ６の受口６Ａａに取り付けられた受入部１３の開口部を利用するようにしてもよい。
【符号の説明】
【００６０】
１  室内機
２  （短い）配管
３  ドレンポンプキット
４  軟質性ドレンホース
４ａ  内管
４ｂ  軟質性被覆層
５  硬質性ドレン配管
５ａ  パイプ本体
５ｂ  被覆層
６  エルボ
６Ａ  継手本体
６Ａａ  受口
６Ａｂ  胴部
６Ｂ  カバー部材
６Ｂａ  第１カバー
６Ｂｂ  第２カバー
６Ｃ  断熱板材
６Ｄ  断熱用空気層
７  ドレンホース接続用アダプタ
１０  本体部材
１１  接続部
１１ａ  断熱用空気層
１２  ユニオンねじ部
１３  受入部
１３ａ  断熱用空気層
１４  支持面
１５  仕切りフランジ部
２０  ホース口
２１  基部
２１Ａ  挿入部
２１Ａａ  接合フランジ部
２１Ｂ  ユニオンフランジ部
２１Ｃ  繋ぎ部
２１Ｃａ  断熱用空気層
２２  タケノコ接手部
３０  ユニオンナット
３１  ローレット
３２  雌ねじ部
３３  係合部
４０  Ｏリング
４１  Ｏリング溝
【図１】
2019044841.tif 000003
【図２】
2019044841.tif 000004
【図３】
2019044841.tif 000005
【図４】
2019044841.tif 000006
【図５】
2019044841.tif 000007
【図６】
2019044841.tif 000008
【図７】
2019044841.tif 000009
【図８】
2019044841.tif 000010
【図９】
2019044841.tif 000011